(57)【要約】【課題】本発明は、綴じ込み用紙群の内容が見やすく、1回の作業で綴じ具を外すことができる右バインド形式のファイルホルダーなどを提供することを目的とする。【解決手段】本発明のファイルホルダーは、バインダー式綴じ具の綴じ込み用紙群を保持する断面コの字形ファイルホルダーであって、そのオモテ表紙または裏表紙の少なくとも一方には背表紙に隣接する隣接領域および背表紙に隣接しない把手領域の2区画に分割する折曲溝が設けられ、当該把手領域には複数個の雄雌綴じ具および棒状体が立設されていることを特徴とする。【選択図】図１４
2018187911.tif 000002
【特許請求の範囲】
【請求項１】
バインダー式綴じ具の綴じ込み用紙群を保持する断面コの字形ファイルホルダーであって、そのオモテ表紙または裏表紙の少なくとも一方には背表紙に隣接する隣接領域および背表紙に隣接しない把手領域の2区画に分割する折曲溝が設けられ、当該把手領域には複数個の雄雌綴じ具および棒状体が立設されていることを特徴とするファイルホルダー。
【請求項２】
前記雄綴じ具は嵌入頭部を備え、前記雌綴じ具は着脱可能な受口部および遊嵌穴部を備えていることを特徴とする請求項１に記載のファイルホルダー。
【請求項３】
バインダー式綴じ具の綴じ込み用紙群を保持する綴じホルダーであって、１枚の紙基材からなる当該綴じホルダーは、覆部、仕切り部および係合部から構成され、当該覆部および当該係合部は空隙部を介して当該仕切り部上に積層され、当該係合部および当該仕切り部は同一の所定位置に複数個の留め穴を有し、かつ、当該覆部の縁は当該仕切り部の平坦面と円弧状に連接していることを特徴とする綴じホルダー。
【請求項４】
上記仕切り部は横方向に上記留め穴の半径未満の範囲で上記綴じ込み用紙より長いことを特徴とする請求項３に記載の綴じホルダー。
【請求項５】
上記請求項３に記載の綴じホルダーの複数個および上記請求項１に記載のファイルホルダー１個が組み合わされたことを特徴とするホルダーキット。
【発明の詳細な説明】
【技術分野】
【０００１】
本発明は、主に、システム手帳等の雄雌綴じ具の綴じ込み用紙群を保持するためのファイルホルダー、綴じ込み用紙群を所定の種類ごとに保持するための綴じホルダーおよびホルダーキットに関し、特にシステム手帳等の携帯用手帳、メモ帳、ノート等から保存用の保管ファイルへ移動するのに適したファイルホルダーおよび紙製の綴じホルダーに関する。
【背景技術】
【０００２】
本、日記、ノート、手帖、雑誌、パンフレット、カタログ等の紙製やビニール製の表紙カバーを栞や袋などに兼用することは古くから知られている。たとえば、実開昭４９−０８８８１６号公報の実用新案登録請求の範囲には「本の厚みに合わせて表紙または表紙カバー類に数条の筋押しを施し、その部分を折り曲げることにより、しおりを兼ねた表紙類」が開示されている。また、実開平０２−８０４７５号公報（後述する特許文献１）の実用新案登録請求の範囲には「各種バインダー用用箋を手帳、ノートに組み込んだ状態で複数枚毎本考案のビニールカバーで保護するとともに、バインダーの開閉をすることなく本考案のカバーの取りはずしが可能なため用箋の閲覧記入を容易ならしめ、また、本考案のカバーを色分けすることにより検索を容易にすることを特徴とするバインダー用用箋の折り曲げ式保護ビニールカバー」が開示され、第一図に具体的な斜視図が示されている。
【０００３】
また、実登２６０６５３９号公報（後述する特許文献２）の請求項１には「重ねた複数枚の頁の一縁辺を一体化して開閉自在とした冊子体に適用される多機能シートにおいて、前記多機能シートの一縁辺には前記冊子体の頁に着脱自在に張りつく粘着層が設けられ、その前記粘着層を介して前記冊子体に一縁辺が着脱自在に張りつき、重ねられた前記頁の端面の少なくとも一部を覆って他縁辺が他の頁の間に差し込まれるよう構成された多機能シート」が開示され、図１（ａ），（ｂ）および（ｃ）に第１実施例の使用状態が示されている。
【０００４】
また、実登３１４５３１０号公報（後述する特許文献３）の請求項１には「大きさがＡ５サイズの約縦半分になる、バインダー式の手帳・ファイル・フォルダー・ノートの類で、Ａ４・Ａ５用紙を折りたたんでファイルする」Ａ４・Ａ５書類・用紙ファイル可能バインダー式ポケット手帳が開示され、図１に具体的な斜視図が示されている。
【０００５】
また、特許第５０９８８１８号公報（後述する特許文献４）の請求項１には、「用紙と中面の表紙とをリング綴じし、中面の表紙において中面の表紙の綴じた辺の対側の辺から連続した下部に折り曲げた下面の表紙を新たに設け、用紙を開いて必要な用紙の上面をもってきたときに他の上方にあった用紙を３６０度回転して下方にもっていき、その用紙が下面の表紙に保護され、下面の表紙から更に上面の表紙をリング綴じで設けて、用紙の上面をその上面の表紙で保護することによって、上面の表紙を閉じたときには用紙全体を保護し、使うときには上面の表紙を開けるだけで必要な面が現われ、その上面の表紙を３６０度回転させることによって用紙片面と同程度の省スペースで使えて全体を下方で支えると用紙がばらつくことなく使えるリング綴じ用紙」が開示され、図１に基本的な外観図が示されている。
【０００６】
上記の従来技術でも、必要な個所にしおりを挟むことにより後からでも見たいページをすぐにめくることができる機能がある。さらに、実開平０２−８０４７５号公報（後述する特許文献１）では、同明細書４ページ下から３行〜５ページ６行に「バインダーの操作なしで本カバーの取りはずし、装着が可能なことから、用箋を保護しながら、簡単に必要な頁の検索が可能になった。…（中略）…本カバーを色わけすることにより、検索を容易にした。」ことが記載されている。また、特許第５０９８８１８号公報（後述する特許文献４）では、図２に示されるように、リング綴じした２種類の用紙群を同時に使用できるようにした工夫がなされている。
【０００７】
また、米国特許６６６３３１０号公報（後述する特許文献５）の図１には、リングバインダーに代わる3組の着脱可能な雄雌ボタン群を立設したボタン構造のバインダーが開示されている。この雄雌ボタン群の配列位置は穴明きメモ用紙の孔の位置によってほぼ固定される。
【０００８】
しかしながら、閉じた雄雌ボタン群を右手で開ける際、左手で支点となる背表紙の位置を固定するのは極めて困難である。このようなファイルホルダーを開けると、綴じ具を開放する際の衝撃力がファイルホルダー全体に伝わり、綴じた用紙がバラバラになってしまう。このため綴じ具の解放力は弱くならざるを得ず、同公報の綴じ具では特に分厚い綴じ込み用紙群を保持することができなかった。同公報の図２以下に様々な雄雌ボタンが例示されているが、これらの場合も綴じられる穴明きメモ用紙の枚数も雄雌ボタンに負荷がかからない限られた枚数になる。
【０００９】
日常生活またはビジネス社会では、スケジュール変更やプロジェクト変更等によってバインダーに綴じたメモ用紙群を再整理しなおす必要性は頻繁に生じる。また、日記帳や類似のプロジェクト等によって過去に綴じたメモ用紙群に新たなメモ用紙群を積み増すことも頻繁に行われる。このような場合、まったく新たに分類整理しなおす必要はなく、過去に整理したメモ用紙群が大部分転用することができ、再配列するだけでことが足りる場合が多い。
【００１０】
しかしながら、従来のように２種類の手帳を携帯するのは、不必要な手帳まで携帯するため体積がかさばったり、重くなったりして不便である。また、パソコン画面に情報を記録するやり方では、過去に整理したメモ用紙群がデリートされてしまうため、機動性に欠け、移動中にメモ等をすることができない。さりとて、一つの手帳に多数のメモ用紙群を密に詰め込むと、ファイルホルダーの口が開いた状態になって他のファイルホルダーに移しかえる際に多数のメモ用紙群がバラバラになってしまいやすい。
【００１１】
ファイルホルダーの口が開いた状態になってしまうのを防ぐため四角柱形状のファイルホルダーも公知である。たとえば、米国特許５３８０１１１号公報（後述する特許文献６）の図１には、脱着が可能な3組のスペーサ組立体がカバー部材の双方の内部に独立して取り付けられ、ファイルホルダーを四角柱形状に保持する技術が開示されている。
【００１２】
しかし、綴じ込み用紙群を差し替えようとすると、スペーサ組立体を開放してファイルホルダーを開く作業とリング式ホルダーを外す作業の2回の動作が必要であり、面倒である。また、多数の綴じ込み用紙群がコンパクトに綴じられた場合には、リング式ホルダーを外す際に綴じられた用紙が散らばりやすくなるという従来の課題も依然残る。
【００１３】
以上述べたように、これまで開発されたバインダーやファイルホルダーは様々なものがあるが、いずれも穴明き用紙群を綴じることに主眼が置かれていた。そのため綴じられた綴じ込み用紙群の内容を一目で視認できるようにする工夫がなされていなかった。最近のメモ用紙は左から右へ書き進む横書きが主流である。横書き文書を左綴じすると、左側にかかれたタイトルを右側から目視することになり、該当箇所の検索に時間がかかってしまう。さらに、綴じ込み用紙群を保持する雄雌綴じ具の着脱には複数回の作業が必要であった。
【００１４】
また、多数の用紙群を綴じてファイルホルダーに保管した場合、その後の変更作業が困難であった。たとえば多数の用紙群に追加の用紙を差し込もうとしたとき、もう一度綴じた用紙群の内容を読む必要があった。また、多数の用紙群をもう一度整理しなおそうとしたとき、これまでに整理した分類体系をいったん壊して新たな分類体系を構築する必要があった。特に多数の用紙群がコンパクトに綴じられた場合には、内容確認が困難になるのでこれらの作業は非常に時間がかかることになる。
【００１５】
このようなことから閉じたまま視認しやすく、1回の作業で綴じ具を外すことができ、その際に綴じ込み用紙群がばらけることがないファイルホルダーやビジネス手帳等に記載したリフィル用紙群からテーマ別、プロジェクト別、取引先別など案件ベースで手軽に再整理しやすい綴じホルダー、および、バラバラになりやすい雄雌綴じ具の綴じ込み用紙群を右綴じの複数の綴じホルダーに区分けするという新しいシステムが求められていた。
【先行技術文献】
【特許文献】
【００１６】
【特許文献１】実開平０２−８０４７５号公報
【特許文献２】実登２６０６５３９号公報
【特許文献３】実登３１４５３１０号公報
【特許文献４】特許第５０９８８１８号公報
【特許文献５】米国特許６６６３３１０号公報
【特許文献６】米国特許５３８０１１１号公報
【発明の概要】
【発明が解決しようとする課題】
【００１７】
本発明は、上記課題に鑑みてなされたものである。すなわち、本発明はファイルホルダーを閉じたまま開口面側から綴じ込み用紙群の内容が見やすいファイルホルダーを提供することを目的とする。また、本発明は1回の作業で綴じ具を外すことができ、その際、綴じ込み用紙群の厚さに関係なく、綴じ込み用紙が散らばりにくい右バインド形式のファイルホルダーを提供することを目的とする。
【００１８】
また、本発明の綴じホルダーは、自ら記録したメモの一部を見ればメモの全体像を思い出しやすいという体験記憶の呼び出し特性を活用しようとするものである。本発明の綴じホルダーは、覆部がめくれやすく、綴じ込み用紙群の内容が思い出しやすい綴じホルダーを提供することを目的とする。また、本発明の綴じホルダーは、バラバラになりやすい雄雌綴じ具の綴じ込み用紙群をひとまとめに整理しやすくする綴じホルダーを提供することを目的とする。また、本発明の綴じホルダーは、ひとまとめにした綴じ込み用紙群を保持し、移動し、色別に差し替えることも可能な綴じホルダーを提供することを目的とする。
【００１９】
また、本発明のホルダーキットは、バラバラになりやすい雄雌綴じ具の綴じ込み用紙群を右綴じの複数の綴じホルダーに区分けするという新しい綴じシステムを提供することを目的とする。
【課題を解決するための手段】
【００２０】
本発明のファイルホルダーは、バインダー式綴じ具の綴じ込み用紙群を保持する断面コの字形ファイルホルダーであって、そのオモテ表紙または裏表紙の少なくとも一方には背表紙に隣接する隣接領域および背表紙に隣接しない把手領域の2区画に分割する折曲溝が設けられ、当該把手領域には複数個の雄雌綴じ具および棒状体が立設されていることを特徴とする。
【００２１】
本発明のファイルホルダーは、隣接領域を左手で抑えることによって折曲溝を支点に定位する。その結果、折曲溝を支点とした力のモーメントのつり合い原理を利用して閉じたファイルホルダーを右手で簡単に開くことができる。そして、綴じ具が解放されると瞬時に隣接領域の折曲溝が綴じ込み用紙群を押さえつける。このため綴じ込み用紙群の多少にかかわらず、綴じ具が解放される際の衝撃力によって綴じ込み用紙群がばらけることはなく、強力な雄雌綴じ具を用いることができる。
【００２２】
また、本発明の綴じホルダーは、バインダー式綴じ具の綴じ込み用紙群を保持する綴じホルダーであって、１枚の紙基材からなる当該綴じホルダーは、覆部、仕切り部および係合部から構成され、当該覆部および当該係合部は空隙部を介して当該仕切り部上に積層され、当該係合部および当該仕切り部は同一の所定位置に複数個の留め穴を有し、かつ、当該覆部の縁は当該仕切り部の平坦面と円弧状に連接していることを特徴とする。
【００２３】
また、本発明の綴じホルダーキットは、上記の綴じホルダーの複数個および上記のファイルホルダー１個が組み合わされたことを特徴とする。すなわち、本発明の綴じホルダーキットは、バインダー式綴じ具の綴じ込み用紙群を保持する綴じホルダーであって、１枚の紙基材からなる当該綴じホルダーは、覆部、仕切り部および係合部から構成され、当該覆部および当該係合部は空隙部を介して当該仕切り部上に積層され、当該係合部および当該仕切り部は同一の所定位置に複数個の留め穴を有し、かつ、当該覆部の縁は当該仕切り部の平坦面と円弧状に連接している綴じホルダーの複数個、並びに、バインダー式綴じ具の綴じ込み用紙群を保持する断面コの字形ファイルホルダーであって、そのオモテ表紙には背表紙に隣接する隣接領域および背表紙に隣接しない把手領域の2区画に分割する折曲溝が設けられ、当該把手領域には複数個の雌綴じ具が配設され、他方、その裏表紙には当該雌綴じ具に対峙する棒状の雄綴じ具が立設されているファイルホルダーが組み合わされたことを特徴とする。
【００２４】
本発明のファイルホルダーにおいて好ましい実施態様は以下のとおりである。すなわち、前記雄綴じ具は嵌入頭部を備え、前記雌綴じ具は着脱可能な受口部および遊嵌穴部を備えていることが好ましい。棒状の雄綴じ具と雌綴じ具が斜めの関係になっても、雌綴じ具の遊嵌穴部が力のモーメントのつり合い原理に従って最適な向きに移動するからである。
【００２５】
以下、本発明の構成要件について説明する。
本発明のファイルホルダーにおいて、隣接領域の幅は背表紙の幅よりも等しいか長いことが好ましい。隣接領域の幅が短いと、綴じ具が解放される際に把手領域で綴じ込み用紙群を押さえつけることになるからである。折曲溝の形状は１条の直線が好ましい。ただし、折曲溝の形状に曲線を含んでいても、力のモーメントのつり合い原理は維持されれば、本発明のファイルホルダーに含まれる。
【００２６】
複数個の雄雌綴じ具は棒状体の一端または中間部分に設けることができる。雄雌綴じ具は、オモテ表紙および裏表紙に直接取り付けてもテープ状基材などを介して間接的に取り付けても、棒状体に直接取り付けても棒状体を加工してもよい。好ましくは雌綴じ具をオモテ表紙の把手領域に取り付け、雄綴じ具を棒状体に直接取り付けることが好ましい。雄雌綴じ具の材質はプラスチック樹脂でもよいが、金属が好ましい。繰り返し使用しても強力な着脱機能が維持できるからである。金属製の綴じ具を用いると、1回の操作でファイルホルダーを開けることができるからである。
【００２７】
棒状体の材質はプラスチック樹脂でもよいが、金属が好ましい。棒状体は中実であっても、中空であっても、中実部材と中空部材の組合せであってもよい。カバンの中に入れて持ち歩いても安易に綴じ具が破損や変形することがないからである。棒状体の長さは背表紙の高さを基準に定めることができる。背表紙の高さと同等か、またはそれよりも低いことが好ましい。棒状体は、オモテ表紙および裏表紙に直接取り付けてもテープ状基材などを介して間接的に取り付けてもよい。
【００２８】
雌綴じ具および雄綴じ具の結合は、嵌合、咬合、噛合等または挾持、咬持、把持等、あるいは、磁力などを用いることができる。繰り返しの着脱作業に耐えることから嵌合が好ましい。雄綴じ具の先端の形状は棒状の金属に嵌合頭部を備えていることが好ましい。嵌合頭部は、一組の金属ボタンの一方をスポット溶接、はんだ付け、カシメ等の接合手段によって棒状の金属に接合することができる。また、半球状の金型を備えたヘッダー加工機を用いて棒状金属の先端面を半球状に膨出することができる。また、グラインダ加工機によって棒状金属の先端部をくびれのある半球状に成形することができる。また、トーチバーナーによって棒状金属の先端部に溶融ボールを形成することができる。
【００２９】
本発明の綴じホルダーにおいて、仕切り部上に覆部および係合部を設けたのは、綴じ込み用紙群の一部を両側から挟み込むためである。挟み込むことによって綴じ込み用紙群がばらけるのを防ぐことができる。また、挟み込むことによって綴じ込み用紙群の横幅より長くなるので、しおりの機能も発揮される。ここで、「ばらける」というのは、綴じ込み用紙群の移しかえによって綴じ込み用紙群が雄雌綴じ具の綴じ込み穴にはまらなくなる状態をいう。このため、仕切り部の横幅は綴じ込み用紙の横幅よりも留め穴の半径未満の範囲にとどめることが望ましい。より望ましくは、綴じ込み用紙の横幅は綴じ込み穴の直径×２／５の長さを超えないことである。綴じ込み用紙群からのはみだし幅が少なければ、システム手帳等の横幅から出っ張ることがなく持ち運びに便利である。
【００３０】
本発明の綴じホルダーにおいて、仕切り部上の覆部および係合部のあいだに空隙部を設けたのは、綴じ込み用紙群の記載内容を呼び戻すためである。自分が記載したメモ等の内容は、その一部を見るだけでも記載した当時の全体の記憶がよみがえるというヒトの習性を利用するものである。表側から覆部を押さえて裏側から仕切り部を押し上げると、綴じ込み用紙群が反って空隙部がひろがり、さらに綴じ込み用紙群の記載内容がより思い出しやすくなる。
【００３１】
本発明の綴じホルダーにおいて、覆部の円弧状曲面が仕切り部の平坦面と連接していることとしたのは、綴じ込み用紙群から覆部を開きやすくするためである。１枚の紙基材から仕切り部上に覆部を構成すると、覆部の外側の縁が半円状に伸ばされ、内側の縁は圧縮される。他方、覆部の他端は自由端である。覆部の縁から覆部の自由端のほうに向かってロール圧延するなどして両側から覆部の外側の縁を圧縮すると、覆部の外側の縁は半円状に引き伸ばされ、覆部の縁では引っ張り状態となる。これが仕切り部の平坦面と円弧状に連接している状態を保つ理由である。また、円弧状に連接している状態にあれば、円弧状の箇所を指で押さえることによって本発明の綴じホルダーをつかんだまま雄雌綴じ具から取り外し、別の雄雌綴じ具へ取り付けることができる。
【００３２】
この円弧状態は、綴じ込み用紙群を入れ替える回数が増えるとより大きな円弧状となり、手帳を閉じっぱなしにすると小さな円弧状となる。また、本発明の綴じホルダーは、綴じ込み用紙群の用紙と同じく紙基材であるから、指で仕切り部の平坦面を裏側から表側に押しあてれば、空隙部を簡単に広げることができ、内容確認がさらに容易になる。また、覆部が円弧状曲面となっているので、綴じ込み用紙群が数ページと薄くなっても簡単に綴じ込み用紙群の一部のページを差し替えることが可能になる。
【００３３】
また、本発明の綴じホルダーの製造方法のひとつは、１枚の紙基材の両側を同一方向に折り曲げて仕切り部上に空隙部を介して覆部および係合部を積層した、雄雌綴じ具の綴じ込み用紙群を保持する綴じホルダーの製造方法であって、少なくとも当該仕切り部上の当該覆部をロール圧延する工程、および、当該係合部および当該仕切り部の同一の所定位置に複数個の留め穴を形成する工程とからなる。
【００３４】
また、本発明の綴じホルダーの製造方法のもうひとつは、１枚の紙基材の両側を同一方向に折り曲げて仕切り部上に空隙部を介して覆部および係合部を積層した、雄雌綴じ具の綴じ込み用紙群を保持する綴じホルダーの製造方法であって、１枚の紙基材の第一たるみ部分をロール圧延する工程、そのロール圧延された紙基材の第二たるみ部分をロール圧延する工程、および、その第一たるみ部分またはその第二たるみ部分の同一の所定位置に複数個の留め穴を穿孔する工程とからなる。
【００３５】
本発明の綴じホルダーの製造方法において、少なくとも当該仕切り部上の当該覆部をロール圧延する工程を設けたのは、覆部の縁から覆部の自由端のほうに向かってロール圧延すると、覆部の外側の縁は半円状により引き伸ばされ、仕切り部の平坦面とより円弧状に連接している状態をつくるからである。より円弧状に連接している状態になれば、そのまま開いて綴じ込み用紙のページをめくりやすく、記入しやすくなるからである。これらの綴じホルダーの製造方法は、綴じホルダーの覆部が効率よくめくれやすくなるようにする綴じホルダーの製造方法を提供することができる。
【００３６】
また、本発明の綴じ込み用紙群の移送方法は、あるバインダー式金具の一部の綴じ込み用紙群を別のバインダー式金具に移しかえる綴じ込み用紙群の移送方法において、以下の（ａ）〜（ｄ）からなる綴じホルダーを用いて綴じ込み用紙群を移しかえることができる。
（ａ）１枚の紙基材からなる当該綴じホルダーは、覆部、仕切り部および係合部から構成されていること、（ｂ）当該覆部および当該係合部は空隙部を介して当該仕切り部上に積層されていること、（ｃ）当該係合部および当該仕切り部は同一の所定位置に複数個の留め穴を有していること、かつ、（ｄ）当該仕切り部は横方向に上記留め穴の直径未満の範囲で上記綴じ込み用紙より長いこと。
【００３７】
本発明の綴じホルダーにおいて好ましい実施態様は以下のとおりである。
本発明の仕切り部は横方向に上記留め穴の半径未満の範囲で上記綴じ込み用紙より長いことが好ましい。また、本発明の綴じホルダーは色分けされていることが好ましい。
【００３８】
本発明の綴じホルダーにおいて、仕切り部上に覆部および係合部を設けたのは、綴じ込み用紙群の一部を両側から挟み込むためである。挟み込むことによって綴じ込み用紙群がばらけるのを防ぐことができ、同時に、抜き取られた残りの用紙がばらけるのを防ぐことができる。また、挟み込むことによって、後述する図4の部分拡大図に示すように、仕切り部上の覆部が湾曲するので覆部が開閉しやすくなり、綴じ込み用紙群の出し入れが容易になる。また、仕切り部の横方向は綴じ込み用紙群の横幅より長いので、しおりの機能も発揮される。ここで、「ばらける」というのは、綴じ込み用紙群の移しかえによって綴じ込み用紙群がバインダー式金具の綴じ込み穴にはまらなくなる状態をいう。このため、仕切り部の横幅は綴じ込み穴の直径×２／５の長さを超えないことが望ましい。より望ましくは、綴じ込み用紙の横幅は綴じ込み用紙の横幅よりも留め穴の半径未満の範囲にとどめることである。綴じ込み用紙群からのはみだし幅が少なければ、スリムなシステム手帳等の横幅から出っ張ることがなく持ち運びに便利である。
【００３９】
本発明の綴じホルダーにおいて、仕切り部上の覆部および係合部のあいだに空隙部を設けたのは、綴じ込み用紙群の記載内容を呼び戻すためである。自分が記載したメモ等の内容は、その一部を見るだけでも記載した当時の全体の記憶がよみがえるというヒトの記憶の習性を利用するものである。表側から覆部を押さえて裏側から仕切り部を押し上げると、綴じ込み用紙群が反って空隙部がひろがり、情報量が多くなるのでさらに綴じ込み用紙群の記載内容がより思い出しやすくなる。
【００４０】
本発明の綴じホルダーを使用すると、後述する図4の部分拡大図に示すように、覆部の円弧状曲面が仕切り部の平坦面と連接している状態になる。このため本発明の綴じ込み用紙群の移送方法によると、綴じ込み用紙群から覆部を開きやすくなる。１枚の紙基材から仕切り部上に覆部を構成すると、覆部の外側の縁が半円状に伸ばされ、内側の縁は圧縮される。特に綴じ込み用紙群が厚くなった場合、適当な個所で折り目を設けることによって綴じホルダーの背表紙およびタイトル記入欄とすることができ、本発明のファイルホルダーに綴じたとき検索が容易になる。
【００４１】
他方、覆部の他端は自由端である。覆部の縁から覆部の自由端のほうに向かってロール圧延するなどして両側から覆部の外側の縁を圧縮すると、覆部の外側の縁は半円状に引き伸ばされ、覆部の縁では引っ張り状態となる。これが仕切り部の平坦面と円弧状に連接している状態になりやすい理由である。また、ひとたび円弧状に連接している状態になれば、以後は円弧状の箇所を指で押さえることによって本発明の綴じホルダーをつかんだままバインダー式金具から取り外し、別のバインダー式金具へ取り付けることができるようになる。
【００４２】
この円弧状態は、綴じ込み用紙群を入れ替える回数が増えるとより大きな円弧状となり、手帳を閉じっぱなしにすると小さな円弧状となる。また、本発明の綴じホルダーは、綴じ込み用紙群の用紙と同じく紙基材であるから、指で仕切り部の平坦面を裏側から表側に押しあてれば、空隙部を簡単に広げることができ、内容確認がさらに容易になる。また、覆部が円弧状曲面となっているので、綴じ込み用紙群が数ページと薄くなっても簡単に綴じ込み用紙群の一部のページを差し替えることが可能になる。
【００４３】
本発明の綴じホルダーの製造方法において、少なくとも当該仕切り部上の当該覆部をロール圧延する工程を設けたのは、覆部の縁から覆部の自由端のほうに向かってロール圧延すると、覆部の外側の縁は半円状により引き伸ばされ、仕切り部の平坦面とより円弧状に連接している状態をつくりやすくなるからである。より円弧状に連接している状態になれば、そのまま開いて綴じ込み用紙のページをめくりやすく、記入しやすくなるからである。
【発明の効果】
【００４４】
本発明のファイルホルダーを用いると、１回の操作でファイルホルダーを開き、かつ、綴じ具を開放することができる効果がある。しかも、硬く閉じた綴じ具を開放する力が少なくて済む効果がある。また、本発明のファイルホルダーを用いると、たとえ開放した際に衝撃力が発生してもこの衝撃力によって綴じ込み用紙群がばらけることはない効果がある。特に雄綴じ具の嵌合頭部が雌綴じ具の遊嵌穴部で遊嵌すると、解放力の垂直成分によって屈曲溝が自律的に綴じ込み用紙群を抑える効果がある。また、本発明のファイルホルダーを用いると、綴じ具を閉じたまま綴じ込み用紙群の内容を視認することができる効果がある。
【００４５】
他方、本発明の綴じホルダーを用いると、バインダー式金具に綴じられた用紙群から必要なページ部分だけをバインダー式金具から簡単に取り去ることができる効果がある。また、本発明の綴じホルダーは、綴じ込み用紙群を両側から挟み込んでいるので、左右にばらけることがなく簡単に別のバインダー式金具へ綴じなおすことができる効果がある。綴じ込み用紙はリフィル、バインダーノート、ルーズリーフなど様々な名前で呼ばれているが、本発明の綴じホルダーよるとこれらすべての綴じ込み用紙群に用いることができる。特にバインダー式金具に綴じられた綴じ込み用紙群の一枚が薄くても、本発明の綴じホルダー上でそのままめくることができ、綴じ込み用紙の差し替えも容易に行うことができるという効果がある。
【００４６】
また、本発明の綴じホルダーは、紙製なので下敷きとして利用することができ、綴じ込み用紙群の必要なページ部分に書き込みをすることができる。また、本発明の綴じホルダーに罫線や図表やスコアシートなどを設けると、簡単なタイトルなどを書きこむことができる効果がある。また、本発明の綴じホルダーのエッジに目盛りを設けたり、０〜９までの数字で区切ったりすると、簡単な物差しや分類表として利用することができる。
【００４７】
さらに、本発明の綴じホルダーに綴じ込み用紙群と異なる複数のカラー色を施した場合、カラー色に合わせたインデックス機能も兼ねることができる効果がある。この場合、バインダー式金具に綴じられた綴じ込み用紙群の端面からカラーエッジが覗くことで、出っ張りのないスマートなカラーインデックス機能を兼ね備えることができる。また、このカラーインデックス機能は、１冊のシステム手帳等の場合や保管ファイルの場合でも、テーマ別、プロジェクト別、取引先別など案件ベースで色分けし、整理することができる効果がある。
【００４８】
本発明の綴じホルダーの製造方法によると、本発明の綴じホルダーを簡単に精度よく製造することができる効果がある。本発明のロール圧延によると、綴じホルダーの覆部が仕切り部の平坦面とより円弧状に連接している状態をつくることができる効果がある。特に、たるみ部分をロール圧延することによって同一の所定位置に複数個の留め穴を穿孔することが容易になる効果がある。
【００４９】
本発明の綴じホルダーの使用方法によると、あるバインダー式金具の一部の綴じ込み用紙群を別のバインダー式金具に移しかえる綴じ込み用紙群の移送が簡単になる。また、その移送に用いる本発明の綴じホルダーの覆部が開きやすくなり、綴じ込み用紙群の出し入れが簡単になるという効果がある。
【００５０】
本発明のホルダーキットによると、小さく取り扱いにくいA5以下の大きさの穴明き用紙群の整理が容易になる効果がある。特に、手帳用のリフィルは紙が薄く滑りやすいので、このような穴明き用紙群の整理に最適なものになる効果がある。
【図面の簡単な説明】
【００５１】
【図１】本発明の綴じホルダーの製造方法の模式図であり、第一たるみ部分を形成する状態を示す。
【図２】本発明の綴じホルダーの製造方法の模式図であり、第一たるみ部分を案内する状態を示す。
【図３】本発明の綴じホルダーの製造方法の模式図であり、第二たるみ部分を形成する状態を示す。
【図４】本発明の綴じホルダーの斜視図および部分的に拡大した模式図である。
【図５】本発明の綴じホルダーに綴じ込み用紙群が保持された模式図である。
【図６】本発明の綴じホルダーを従来のバインダー式金具に綴じた斜視図および部分的に拡大した模式図である。
【図７】本発明のファイルホルダーの閉じた状態を示す斜視図である。
【図８】本発明のファイルホルダーの開いた状態を示す斜視図である。
【図９】本発明のファイルホルダーの平面図である。
【図１０】本発明のファイルホルダーの底面図である。
【図１１】本発明のファイルホルダーの正面図である。
【図１２】本発明のファイルホルダーの右側面図である。
【図１３】本発明のファイルホルダーの左側面図である。
【図１４】本発明の綴じホルダー1個を本発明のファイルホルダーに綴じた斜視図である。
【図１５】本発明のファイルホルダーの解放直前の状態を示す模式図である。
【図１６】本発明のファイルホルダーの解放直後の状態を示す模式図である。
【発明を実施するための形態】
【００５２】
本発明の実施形態について、適宜図面を参照しながら、以下に詳細に説明する。まず本発明の綴じホルダーについて説明する。図１〜図３は本発明の綴じホルダーの一製造工程を示し、図４〜図６は本発明の綴じホルダーおよびその使用例を示す。まず、本発明の綴じホルダーの一製造工程について説明する。
【００５３】
本発明の綴じホルダー１の基材である紙基材２は、図１ に示すように、第一上下ロール１０の上ロール１１と下ロール１２によって右から左へ移送される。移送された紙基材２の先端は、第一ガイド板１３に案内され、第一ストッパ板１４に当たって止まる。他方、紙基材２は先端が止まっても第一上下ロール１０によって右から左へ移送され続けるので、やがて第一たるみ部分１５が形成される。
【００５４】
この第一たるみ部分１５は、図２ に示すように、第一上下ロール１０の下ロール１２および第二上下ロール２０の上ロール２１によって所定のロール間隔で押しつぶされると同時に引き伸ばされるので、係合部６を形成する。その後、係合部６は、紙基材２の先端となって第二ガイド板２３に案内され、第二ストッパ板２４に当たって止まる。他方、紙基材２自体は下ロール２２および上ロール２１によって下方へ移送され続けるので、やがて第二たるみ部分２５が形成される。
【００５５】
この第二たるみ部分２５は、図３ に示すように、第二上下ロール２０の上ロール２１と下ロール２２によって右から左へ移送され、紙基材２が第二上下ロール２０から吐き出される。その後、図４ に示すように、穿孔装置（図示せず）によって留め穴４が形成され、綴じホルダー１が完成する。
【００５６】
綴じホルダー１には、仕切り部５上に係合部６および覆部３が積層され、係合部６および覆部３の間に空隙部７がある。また、覆部３の縁は、図４の部分的に拡大した図で示すように、仕切り部５の平坦面と円弧状に連接している。このため、図５ に示すように、綴じホルダー１に綴じ込み用紙群Ｐを保持しようとするとき、容易に覆部３を開くことができる。
【００５７】
次に、図６ に示すように、綴じホルダー１をバインダー式金具８に綴じた場合、綴じホルダー１の空隙部７から綴じ込み用紙群Ｐの内容を見ることができる。他人には理解することができないメモ等の内容でも、自分が記載したものは隙部７からその一部を見るだけでメモ等の内容全体の記憶をよみがえらせることができる。また、綴じホルダー１を反らせることによって綴じ込み用紙群Ｐの記載内容を確認することができる。また、図６ の部分拡大模式図に示すように、綴じホルダー１は綴じ込み用紙群Ｐよりもエッジ９の部分だけ横幅が大きくなっている。このため綴じホルダー１の上にむき出しの綴じ込み用紙群Ｐをのせても、綴じホルダー１のインデックス機能（栞機能）によって綴じホルダー１の箇所を即座に開くことができ、さらに、バインダー式金具８の綴じ環を開くことによって綴じホルダー１を簡単に取り出すことができる。
【００５８】
次に、本発明のファイルホルダー１００について説明する。図７および図８は本発明のファイルホルダー１００の開閉状態を示す。図９〜図１３は本発明のファイルホルダー１００の詳細を示す。図１４は本発明のファイルホルダーに綴じホルダーを使用した例を示し、図１５および図１６はファイルホルダーの雌雌綴じ具の解放前後の状態を示す。
【００５９】
図８に示すように、本発明のファイルホルダー１００は、オモテ表紙１１０に背表紙１２０に隣接する隣接領域１１２および背表紙１２０に隣接しない把手領域１１３の2区画に分割する屈曲溝１１４が設けられ、当該把手領域１１３には２個の雌綴じ具１３０，１４０が配設され、他方、その裏表紙１５０には当該雌綴じ具１３０，１４０に対峙する棒状の雄綴じ具１６０，１７０が立設されている。
【００６０】
雌綴じ具１３０は、図15に示すようにいわゆるリングホックのアタマ（ヘッド）１３１とバネ１３２である。たとえば、アタマ１３１は外形１０ｍｍ、内径３ｍｍ、全長３．５ｍｍであり、バネ１３２は外形１０．５ｍｍ、内径４．５ｍｍ、全長４．５ｍｍである。オモテ表紙１１０の穴をあけた把手領域１１３の両側にアタマ１３１とバネ１３２を置く。ハンドプレス機を用いてアタマ１３１とバネ１３２を圧着すると、アタマ１３１の先端部１３３がつぶれてバネ１３２と固着され、雌綴じ具１３０が完成する。雌綴じ具１３０の受口部１３４の直径は３．５ｍｍである。雌綴じ具１３０には、遊嵌穴部１３５があり、線状バネ体１３６が組み込まれている。
【００６１】
雄綴じ具１６０、１７０は、直径３．６ｍｍの金属棒の先端部１６１、１７１を球形に旋盤加工し、先端面から３ｍｍの位置に直径３．３ｍｍの首部１６２、１７２を設けたものである。すなわち、ここでの雄綴じ具１６０、１７０は雄綴じ具および棒状体が一体となったものである。雄綴じ具および棒状体が一体となったもの１６０、１７０の長さは背表紙１２０の高さと同じである。本発明のファイルホルダー１００を閉じているときは、雄綴じ具１６０が雌綴じ具１３０に嵌着される。このとき雄綴じ具１６０の首部１６２が雌綴じ具１３０の線状バネ体１３６によって両側から締め付けられているので、雄綴じ具１６０の先端部１６１は雌綴じ具１３０の遊嵌穴部１３５内で遊嵌する。オモテ表紙１１０の把手領域１１３からの雌綴じ具１３０と１４０の高さは３２ｍｍであり、雄綴じ具１６０と１７０の間隔は、５７ｍｍである。
（綴じホルダーの開閉試験）
【００６２】
図６に示すような綴じホルダー１の係合部６の上下をクリップ（図示せず）で止めた。これを垂直方向に傾けて覆部３を開き、また、水平方向に戻して覆部３を閉じた。これを１サイクルとして５０サイクル繰り返したところ、覆部３は全体が大きく湾曲した。
（ファイルホルダーの開閉試験）
【００６３】
図８に示すファイルホルダー１００の高さ３２ｍｍの雄綴じ具１６０に１７ｍｍの高さまで綴じ込み用紙群Ｐをのせた。その後、図７に示すようにファイルホルダー１００の雌綴じ具１３０，１４０と雄綴じ具１６０、１７０を嵌合した。ついで、オモテ表紙１１０の把手領域１１３の雌綴じ具１３０と１４０の真中を右手でもって勢いよく解放した。図１５に示す解放直前の状態では、雌綴じ具１３０，１４０は直立した雄綴じ具１６０、１７０と遊嵌し、引っ張り方向を向いている。
【００６４】
図１６に示す解放直後の状態では、解放時の衝撃が綴じ込み用紙群Ｐに伝わる。しかし、左手を図７に示すオモテ表紙１１０の隣接領域１１２に載せているので、くぼんだ隣接領域１１２が屈曲溝１１４をさらに押し下げる。そうすると屈曲溝１１４が綴じ込み用紙群Ｐに当たり、綴じ込み用紙群Ｐが舞い上がってばらけることはない。
【産業上の利用分野】
【００６５】
本発明における綴じホルダーは、バインダー式金具形式のシステム手帳、スケジュール帳、日替わり日記帳、家計簿、スコアシート、ルーズリーフ、メモ帳などさまざまな用途に利用することができる。また、本発明におけるファイルホルダーおよびホルダーキットは、背表紙を外に向けて綴じる新規なタイプのファイルホルダーおよびホルダーキットである。
【符号の説明】
【００６６】
１：綴じホルダー
３：覆部
５：仕切り部
６：係合部
７：空隙部
９：エッジ
１００：ファイルホルダー
１１０：オモテ表紙
１１２：隣接領域
１１３：把手領域
１１４：屈曲溝
１３０，１４０：雌綴じ具
１３１：アタマ
１３２：バネ
１３５：遊嵌穴部
１６０，１７０：雄綴じ具
１６１、１７１：球形先端部
１６２、１７２：首部
【図１】
2018187911.tif 000003
【図２】
2018187911.tif 000004
【図３】
2018187911.tif 000005
【図４】
2018187911.tif 000006
【図５】
2018187911.tif 000007
【図６】
2018187911.tif 000008
【図７】
2018187911.tif 000009
【図８】
2018187911.tif 000010
【図９】
2018187911.tif 000011
【図１０】
2018187911.tif 000012
【図１１】
2018187911.tif 000013
【図１２】
2018187911.tif 000014
【図１３】
2018187911.tif 000015
【図１４】
2018187911.tif 000016
【図１５】
2018187911.tif 000017
【図１６】
2018187911.tif 000018